(57)【特許請求の範囲】
【請求項１】
外周面に球送り手段が螺旋状に周設され水平状に配設された回転体と、前記回転体の上方から該回転体の両側を周回してその下方で合流するように設けられた２条の供給通路と、前記回転体の下方に位置して前記各供給通路の最先のパチンコ球を支持する球受棚と、前記回転体の回転により該回転体の球送り手段によって前記球受棚上を移送するパチンコ球を１列で落下させる排出通路とを備え、
前記球受棚上に前記各供給通路の最先のパチンコ球が隣接するように仕切る仕切突条を設け、
前記仕切突条は、前記２条の供給通路の一方の供給通路の最先のパチンコ球が前記回転体の略真下で支持され、他方の供給通路の最先のパチンコ球が該一方の供給通路の最先のパチンコ球の斜め上方で支持されるように配設されていることを特徴とするパチンコ機の球払出装置。
【発明の詳細な説明】
【０００１】
【発明の属する技術分野】
本発明は、パチンコ球が連続して流下する複数の供給通路と、該各供給通路に臨む回転体と、該回転体の回転により各供給通路のパチンコ球が払出される排出通路とを備えてなるパチンコ機の球払出装置に関するものである。
【０００２】
【従来の技術】
従来、パチンコ機の球払出装置として、パチンコ球が連続して流下する複数の供給通路と、該各供給通路に臨んでパチンコ球を１個ずつ受け入れる球載置面を有する複数の回転体と、該回転体の回転により各供給通路のパチンコ球が払出される排出通路とを備えてなるものが知られている。このような構成からなる球払出装置は、パチンコ球の払出し個数をカウントするために仕切壁で区画された排出通路の複数の球通路にそれぞれ対応させてパチンコ球検出スイッチが設けられていた。
【０００３】
一方、最近では上述のようなパチンコ球検出スイッチが最小個数で済むように排出通路にガイド部を設け、該ガイド部によって複数の球通路に払い出されるパチンコ球を一条に収斂させながら排出するようにしたものが提案されている。
【０００４】
【発明が解決しようとする課題】
ところで、このような従来の球払出装置では、排出通路が仕切壁によって複数の球通路に区画されているために、どうしてもパチンコ球が回転体からリリースされた後（払出し後）にガイド部で収斂せざるを得なかった。このため、回転体とガイド部までの間の距離が長くなって収斂されるまでに時間が掛かり、パチンコ球の排出にタイムラグが起こり易かった。また、複数の球通路から払出されたパチンコ球がガイド部までの間で互いに衝合しあって球詰りが発生したり、排出通路が長くなる分装置全体が大型化され広い設置スペースが必要とされる等の問題点があった。一方、通路合流に有するスペースを最小に抑えようとすると急激に合流させなければならず、その結果払出されたパチンコ球同士が衝突し合って球詰りが発生する等の問題点を有していた。
【０００５】
また、供給通路で待機しているパチンコ球の球圧が直接回転体に掛かるので、駆動モータに大きな負荷が掛かり、短期間の使用によって駆動モータが故障したり円滑なパチンコ球の払出しができなくなったりするという問題点を有していた。
【０００６】
そこで本発明は、上記課題を解決するべくなされたもので、回転体にかかる負荷をなくし、球受棚に受けられたパチンコ球を無理なく収斂し、排出通路に払出すようにして装置全体を小型化すると共に、排出時のタイムラグを無くして安定したパチンコ球の払出しが可能なパチンコ機の球払出装置を提供することを目的とするものである。
【０００７】
【課題を解決するための手段】
上記目的を達成するために、本発明に係るパチンコ機の球払出装置は、パチンコ球が連続して流下する複数の供給通路と、該各供給通路に臨む回転体と、該回転体の回転により各供給通路のパチンコ球が払出される排出通路とを備えてなるパチンコ機の球払出装置において、前記回転体は外周面に球送り手段を螺旋状に周設し、該回転体の下面に位置して前記供給通路の最先のパチンコ球を隣接して支持する球受棚を設けたことを特徴とする。
【０００８】
前記球受棚にパチンコ球の球心を支持しない高さの仕切突条を設けるのが好ましく、供給通路のパチンコ球を支持した時点でパチンコ球が独立しつつ前後に重なり合っているので、前記排出通路の始端幅をパチンコ球２個以下にでき、スムーズに収斂するようにした。
【０００９】
前記球受棚は、該球受棚から離隔する時のパチンコ球の高さを夫々異ならせたことを特徴とし、より収斂した状態で払出すようにすると共に、落下タイミングをずらすようにした。
【００１０】
前記球受棚に凹欠き等により早期離隔部を設けるようにして、前記複数の供給通路のパチンコ球を回転体の球送り突条から早期に隔離し、払出すタイミングをずらすようにするのがよい。
【００１１】
上記構成にすることにより、供給通路で待機しているパチンコ球が球受棚で支持された時点で収斂され、しかも球圧が回転体に直接球圧が掛からないので、回転体に掛かる負荷が減少し、回転体の回転がスムーズに行われ正確なパチンコ球の払出し動作が可能となり、しかも装置全体を小型化することができる。
【００１２】
なお、本発明の球払出装置は、貸球または賞球用の球払出装置に限られることなく、球抜き用排出装置としても同じように適用することができる。
【００１３】
【発明の実施の形態】
次に、本発明のパチンコ機の球払出装置を図面を参照して説明する。図１は本発明の球払出装置が適用されるパチンコ機１の裏面図である。パチンコ機１の裏側には裏機構が集約して設けられる機構板２が遊技盤の裏面全体を覆うように配設されており、該機構板２の前面側に入賞球を集合する入賞球集合樋３が形成されている。この入賞球集合樋３は入賞球を一列に整列して流下させるようになっており、その途中に通過する入賞球を１個ずつ電気的に検出しながら排出する入賞球処理装置４が設けられている。この入賞球処理装置４からの信号は図示しない払出制御回路に送られ、後述する球払出装置９の動作を制御する。
【００１４】
一方、機構板２の後面側にはパチンコ球を貯留する球タンク５が設けられ、該球タンク５の下方にパチンコ球を整列して流下させる誘導樋６が設けられている。また、誘導樋６の下流側にカーブレール７を介して２列の球通路を有する供給樋８が連設され、この供給樋８の流下端に本発明の球払出装置９が接続される。さらに球払出装置９の下方にはパチンコ球をカウントする球検出器１０が備わった球検出ユニット１１を介して、払出されたパチンコ球を機前の球受皿（図示せず）に導く排出樋１２が設けられている。
【００１５】
次に、図２ないし図６を参照して本実施の形態に係るパチンコ機の球払出装置９の構成について説明する。球払出装置９は箱枠状のケース１３を有しており、上面に前記供給樋８と連通する球入口１４，１４が開設されると共に、下面に球出口１５が開設されている。該ケース１３は中空状の左ケース体１３ａと右ケース体１３ｂとにより構成され、間に通路構成枠１６を介在させることにより２条の供給通路１７ａ，１７ｂを形成している。また、該供給通路１７ａ，１７ｂは図４に示すように蛇行状に屈曲させて形成され、その終端位置に最先端のパチンコ球を隣接して支持する球受棚１８を設けており、該球受棚１８の終端に位置して前記排出樋１２と連通する排出通路１９が形成されている。該排出通路１９は、図６に示すように供給通路１７ａ側の側壁１９ａを垂直壁とし、供給通路１７ｂ側の側壁１９ｂを約２０°の傾斜面にすることにより球出口１５に向い収斂するようにしている。２０はケース１３後面四隅に設けられた球払出装置９の取付片である。
【００１６】
一方、前記右ケース体１３ｂには仕切壁２１が設けられ、該仕切壁２１のほぼ中央に一側が開放した長円状の切欠２２が形成されている。そして取付板２３を介して電気的駆動源としてのステッピングモータ２４が取付けられ、その出力軸２５は切欠２２から突出し、外周面に球送り手段として球送り突条２６を螺旋状に周設した回転体２７が固着される。該回転体２７は球受棚１８の上方に位置して水平状に配設され、該回転体２７の回転により球受棚１８の上面に位置する供給通路１７ａ，１７ｂの先頭のパチンコ球Ｂ１，Ｂ２を球送り突条２６により交互に排出通路１９に排出するようになっている。
【００１７】
また、回転体２７の先端面に所定深さの凹部２８を形成すると共に、その先端部外周面に前記凹部２８と連通する一対の透光用切欠２９，２９を貫設している。一方、前記回転体２７の先端凹部２８と対向位置して通路構成枠１６に検知センサ３０が設けられている。この検知センサ３０は、相対向する一対の受発光素子３０ａ，３０ｂを有し、図５に示すように一方の発光素子３０ａを前記凹部２８内に介入し、他方の受光素子３０ｂを回転体２７の先端周面に臨ませている。そして、発光素子３０ａからの光が透光用切欠２９を通過して受光素子３０ｂに入射されると検知センサ３０がオンし、この信号によってステッピングモータ２４の回転が制御されるようになっている。
【００１８】
しかして、前記球受棚１８は、図６に示すように回転体２７の軸心を中心とした円弧状をしており、前記供給通路１７ａ，１７ｂが該回転体２７を周回するようになっている。また、球受棚１８の供給通路１７ｂ寄り上面に供給通路１７ａと供給通路１７ｂの先頭のパチンコ球Ｂ１，Ｂ２を仕切る仕切突条３１を設けており、供給通路１７ａの最先のパチンコ球Ｂ１を回転体２７の真下に位置して支持し、供給通路１７ｂの最先のパチンコ球Ｂ２を斜め下方で仕切突条３１および球受棚１８で支持している。また仕切突条３１を挟んで供給通路１７ａ側の球受棚１８終端を凹欠き３２して早期離隔部を設け、早期に球送り突条２６からパチンコ球を離隔して払出しのタイミングをずらすようにしている。前記仕切突条３１はパチンコ球の球心を支持しない高さが選ばれ、供給通路１７ｂ側上端をほぼ４５°に切削して尖らせている。３３，３４は球受棚１８の始端に設けられたガイド突部であり、供給通路１７ａ，１７ｂのパチンコ球をスムーズに送るようにしている。
【００１９】
次に、上記構成からなる球払出装置９の払出し動作について図４ないし図６を参照して説明する。図４は正面を、図５は平面を、図６は側面を示し、各図の（ａ），（ｂ），（ｃ）はいずれも同じタイミング状態を示している。図４（ａ）および図６（ａ）において、供給通路１７ａ，１７ｂのパチンコ球は、それぞれ回転体２７の下方側に供給され、仕切突条３１を挟んで供給通路１７ａ，１７ｂの最先端のパチンコ球Ｂ１，Ｂ２は、球送り突条２６，２６間に嵌合し球受棚１８で支持されている。このとき仕切突条３１がパチンコ球の球心を支持しない高さであり、しかもパチンコ球Ｂ１，Ｂ２の高さ位置が異なるため、すでに図４に示すようにパチンコ球２個分より幅Ｌ分収斂されている。この状態でステッピングモータ２４を駆動し、回転体２７を図４において矢印で示す時計回り方向に回転させると、パチンコ球Ｂ１，Ｂ２は球受棚１８で支持されつつ回転体２７の球送り突条２６により図４（ｂ）ないし図６（ｂ）に示す位置に移動し、供給通路１７ａのパチンコ球Ｂ１は、球受棚１８の凹欠き３２により球送り突条２６の支持から外れて排出通路１９に落下することになる。このとき回転体２７は２２０°回転し透光用切欠２９を受発光素子３０ａ，３０ｂが検知した状態となっている。
【００２０】
さらに回転体２７が回転すると、図４（ｃ）ないし図６（ｃ）に示すようにパチンコ球Ｂ２は球送り突条２６によって球受棚１８を仕切突条３１に沿って移動し、球受棚１８の支持から外れて排出通路１９に落下する。そして傾斜面１９ｂにより収斂されながら球出口１５に向うことになる。このとき回転体２７は１４０°回転し透光用切欠２９を受発光素子３０ａ，３０ｂが検知した状態となる。
【００２１】
また、本来ならば、供給通路１７ａ，１７ｂのパチンコ球Ｂ１，Ｂ２は、位置関係からして５０°と３１０°の回転で払出されるタイミングが、凹欠き３２により供給通路１７ａ側の排出タイミングが速くなるので、透光用切欠２９，２９が設けられた１４０°と２２０°の回転で払出されるタイミングとなっている。さらに、供給通路１７ｂ側のパチンコ球が球受棚１８から離隔する払出し高さが供給通路１７ａ側のパチンコ球が球受棚１８から離隔する払出し高さと異なり、ほぼ半球高いので、供給通路１７ｂの排出タイミングが供給通路１７ａの排出タイミングより遅くなり、排出通路１９に払出されるパチンコ球は１４０°と２２０°の回転による排出タイミングのずれをカバーして、略一定の間隔で落下することになる。
【００２２】
このようにして、回転体２７の回転によって排出通路１９に落下する２列の供給通路１７ａ，１７ｂのパチンコ球Ｂ１，Ｂ２は、球受棚１８に支持された時点ですでに収斂され、球送り突条２６により、交互に排出通路１９に落下し、互いに衝合することなく球出口１５から規則正しいタイミングで払出され、球検出器１０でカウントされながら排出樋１２に排出される。
【００２３】
以上のように、本実施の形態に係る球払出装置９は、供給通路１７ａ，１７ｂで連続して待機しているパチンコ球を、回転体２７の下面に設けた球受棚１８で支持しながら移動するようにして、回転体２７に掛かる球圧を減少させるようにしたので、回転体２７の回転がスムーズに行われるようになると共に、ステッピングモータ２４への負荷を軽減させることができ、長期間に亘ってステッピングモータ２４の安定的な動作を維持することができる。
【００２４】
また、パチンコ球の球心を支持しない高さの仕切突条３１により、パチンコ球の排出通路１９の始端幅をパチンコ球２個分より狭くでき、さらに払出しの高さ位置を違えることによりさらに狭くすることができる。このため収斂する排出通路１９の距離を無理なく効果的に短くすることができ、装置全体の小型化を容易に可能とすることができる。そして、排出通路１９に落下するパチンコ球をよりスムーズに１列で排出させることができる。
【００２５】
なお、上記した本実施の形態では、球送り手段を球送り突条２６として説明したが、回転体の外周面に溝状の球送り手段を螺旋状に設けるようにしてもよい。
【００２６】
【発明の効果】
以上に述べたように本発明に係るパチンコ球の球払出装置は、外周面に球送り手段を螺旋状に周設した回転体の下面に位置して供給通路の最先のパチンコ球を支持する球受棚を設けたことにより、パチンコ球の球圧を球受棚で受け、回転体に掛かる負荷を減少させることができ、回転体の回転がスムーズとなると共に、球受棚上で収斂して排出通路に落下させるようになっているため、装置全体を小型化することができる。
【図面の簡単な説明】
【図１】本発明が適用されるパチンコ機の裏面図である。
【図２】本発明に係る球払出装置の斜視図である。
【図３】図２の分解斜視図である。
【図４】（ａ），（ｂ），（ｃ）は、パチンコ球の払出作用を説明する正断面図である。
【図５】（ａ），（ｂ），（ｃ）は、パチンコ球の払出作用を説明する平断面図である。
【図６】（ａ），（ｂ），（ｃ）は、パチンコ球の払出作用を説明する側断面図である。
【符号の説明】
９                    球払出装置
１７ａ，１７ｂ        供給通路
１８                  球受棚
１９                  排出通路
２６                  球送り突条（球送り手段）
２７                  回転体
３１                  仕切突条
【図１】
0004473986.tif 000002
【図２】
0004473986.tif 000003
【図３】
0004473986.tif 000004
【図４】
0004473986.tif 000005
【図５】
0004473986.tif 000006
【図６】
0004473986.tif 000007